(57)【要約】【課題】冷媒回路に異常が発生した際に、冷媒回路に使用されている冷媒をユーザーに確実に把握させる。【解決手段】室外機（11）及び室内機（12）が設けられた冷媒回路（20）と、室外機（11）及び室内機（12）に通信可能に設けられ、表示画面（31）を有するリモートコントローラ（30）とを備えた空気調和機であって、室外機（11）及び室内機（12）には、使用可能な冷媒を示す冷媒情報がそれぞれ記憶され、冷媒回路（20）に異常が発生した際に、室外機（11）及び室内機（12）から冷媒情報を収集し、収集した冷媒情報に基づいて冷媒回路（20）に使用されている冷媒を決めて表示画面（31）に表示させるように構成された制御部（32）を備えている。【選択図】図４
2015064182.tif 000002
【特許請求の範囲】
【請求項１】
室外機（11）及び室内機（12）が設けられた冷媒回路（20）と、
上記室外機（11）及び室内機（12）に通信可能に設けられ、表示画面（31）を有するリモートコントローラ（30）とを備えた空気調和機であって、
上記室外機（11）及び室内機（12）には、使用可能な冷媒を示す冷媒情報がそれぞれ記憶され、
上記冷媒回路（20）に異常が発生した際に、上記室外機（11）及び室内機（12）から上記冷媒情報を収集し、収集した該冷媒情報に基づいて上記冷媒回路（20）に使用されている冷媒を決めて上記表示画面（31）に表示させるように構成された制御部（32）を備えていることを特徴とする空気調和機。
【請求項２】
請求項１において、
上記制御部（32）は、上記室外機（11）及び室内機（12）の各機種名と、異常発生時の連絡先とを、上記冷媒回路（20）に使用されている冷媒と共に上記表示画面（31）に表示するように構成されていることを特徴とする空気調和機。
【請求項３】
請求項１又は２において、
上記表示画面（31）に表示可能な冷媒には、少なくともＲ３２が含まれていることを特徴とする空気調和機。
【請求項４】
請求項１〜３の何れか１つにおいて、
上記表示画面（31）は、ドットマトリクス方式であり、
上記表示画面（31）には、上記冷媒回路（20）に使用されている冷媒だけを表示する冷媒表示専用領域（40）が設けられていることを特徴とする空気調和機。
【請求項５】
請求項１〜４の何れか１つにおいて、
上記制御部（32）は、上記室外機（11）で使用可能な冷媒が１種類であり、上記室内機（12）で使用可能な冷媒が複数種類である場合、上記室外機（11）で使用可能な冷媒が上記室内機（12）で使用可能な冷媒の何れか１つと一致するとき、上記室外機（11）で使用可能な冷媒を上記冷媒回路（20）に使用されている冷媒とするように構成されていることを特徴とする空気調和機。
【発明の詳細な説明】
【技術分野】
【０００１】
本発明は、室外機及び室内機を備えて冷凍サイクルを行う空気調和機に関するものである。
【背景技術】
【０００２】
近年、冷媒回路を備えた空気調和機では、冷媒回路を循環するＨＦＣ（ハイドロフルオロカーボン）系の冷媒として、従前より使用されてきたＲ４１０Ａの代わりに、地球温暖化係数のより小さいＲ３２単体が使用され始めている。そのため、空気調和機の市場では、Ｒ４１０Ａを使用する空気調和機と、Ｒ３２単体を使用する空気調和機とが混在している。
【０００３】
例えば、特許文献１には、室内機及び室外機において使用できる冷媒の種類をそれぞれ記憶している室内メモリ及び室外メモリを備えた空気調和機が開示されている。そして、これによれば、表示ラベルがなくても使用冷媒を容易且つ確実に確認することができ、室内機と室外機との間の使用冷媒の不一致、又は残留冷媒と注入冷媒との不一致を防止することができる、と記載されている。
【先行技術文献】
【特許文献】
【０００４】
【特許文献１】特開平１０−３８３５４号公報
【発明の概要】
【発明が解決しようとする課題】
【０００５】
上述したように、空気調和機の市場では、Ｒ４１０Ａを使用する空気調和機と、Ｒ３２単体を使用する空気調和機とが混在しているので、空気調和機の修理を行う保守作業者は、Ｒ４１０Ａ及びＲ３２の両方の冷媒に対応する必要がある。
【０００６】
しかしながら、修理を行う現場に保守作業者が着いてから、使用冷媒が判明するのでは、修理作業の効率が低下してしまう。そのため、空気調和機の冷媒回路に異常が発生して、サービスセンター等にユーザーが連絡する際に、異常が発生した空気調和機に使用されている冷媒をユーザーから知らせてもらうのが望ましい。
【０００７】
ここで、特許文献１に開示された空気調和機では、リモコンの液晶表示部に使用冷媒を表示させることができるものの、空気調和機の据付時における使用冷媒の初期確認を主な目的としているので、修理作業が必要になった際には、リモコンの液晶表示部に使用冷媒を表示させるまでに所定の操作が必要になり、改善の余地がある。
【０００８】
本発明は、かかる点に鑑みてなされたものであり、その目的とするところは、冷媒回路に異常が発生した際に、冷媒回路に使用されている冷媒をユーザーに確実に把握させることにある。
【課題を解決するための手段】
【０００９】
上記目的を達成するために、本発明は、冷媒回路（20）に異常が発生した際に、冷媒回路（20）に使用されている冷媒をリモートコントローラ（30）の表示画面（31）に表示させる制御部（32）を備えるようにしたものである。
【００１０】
具体的に第１の発明は、室外機（11）及び室内機（12）が設けられた冷媒回路（20）と、上記室外機（11）及び室内機（12）に通信可能に設けられ、表示画面（31）を有するリモートコントローラ（30）とを備えた空気調和機であって、上記室外機（11）及び室内機（12）には、使用可能な冷媒を示す冷媒情報がそれぞれ記憶され、上記冷媒回路（20）に異常が発生した際に、上記室外機（11）及び室内機（12）から上記冷媒情報を収集し、収集した該冷媒情報に基づいて上記冷媒回路（20）に使用されている冷媒を決めて上記表示画面（31）に表示させるように構成された制御部（32）を備えていることを特徴とするものである。
【００１１】
上記第１の発明では、冷媒回路（20）に異常が発生した際に、制御部（32）は、室外機（11）及び室内機（12）からそれぞれに記憶された冷媒情報を収集し、その冷媒情報に基づいて冷媒回路（20）に使用されている冷媒を決めてリモートコントローラ（30）の表示画面（31）に表示させるように構成されている。そのため、サービスセンター等にユーザーが連絡する際には、リモートコントローラ（30）の表示画面（31）に表示された冷媒の種類を見るだけで、ユーザーは、冷媒回路（20）に使用されている冷媒を把握することができる。
【００１２】
ここで、従来の空気調和機のリモートコントローラでは、冷媒回路に使用されている冷媒を表示させるまでに、例えば、表示画面上でカーソルを移動させることにより、階層構造のメニューにおける項目を適宜選択する操作が必要である。これに対し、上記第１の発明では、ユーザーは、リモートコントローラ（30）での操作を行うことなく、冷媒回路（20）に使用されている冷媒を把握することができる。
【００１３】
したがって、冷媒回路（20）に異常が発生した際に、冷媒回路（20）に使用されている冷媒をユーザーに確実に把握させることができる。そして、これにより、空気調和機（10）の修理を行う保守作業者は、冷媒回路（20）に使用されている冷媒に対応する器材等を事前に準備することができ、修理作業の効率を向上させることができる。
【００１４】
第２の発明は、上記第１の発明において、上記制御部（32）は、上記室外機（11）及び室内機（12）の各機種名と、異常発生時の連絡先とを、上記冷媒回路（20）に使用されている冷媒と共に上記表示画面（31）に表示するように構成されていることを特徴とするものである。
【００１５】
上記第２の発明では、制御部（32）は、冷媒回路（20）に異常が発生した際に、冷媒回路（20）に使用されている冷媒と、室外機（11）及び室内機（12）の各機種名と、異常発生時の連絡先とをリモートコントローラ（30）の表示画面（31）に表示するように構成されている。そのため、サービスセンター等にユーザーが連絡する際には、リモートコントローラ（30）の表示画面（31）に表示された情報を見るだけで、ユーザーは、冷媒回路（20）に使用されている冷媒の種類と、室外機（11）及び室内機（12）の各機種名と、異常発生時の連絡先とを同時に把握することができる。
【００１６】
第３の発明は、上記第１又は第２の発明において、上記表示画面（31）に表示可能な冷媒には、少なくともＲ３２が含まれていることを特徴とするものである。
【００１７】
上記第３の発明では、表示画面（31）に表示可能な冷媒には、少なくともＲ３２が含まれているので、ユーザーは、例えば、冷媒回路（20）に使用されている冷媒がＲ４１０Ａ（従前より一般的に使用されてきた冷媒）でなくＲ３２単体（近年、使用され始めた冷媒）であることを把握することができる。そして、これにより、空気調和機（10）の修理を行う保守作業者は、Ｒ３２に対応する器材等を事前に準備することができ、修理作業の効率を向上させることができる。
【００１８】
第４の発明は、上記第１〜第３の何れか１つの発明において、上記表示画面（31）は、ドットマトリクス方式であり、上記表示画面（31）には、上記冷媒回路（20）に使用されている冷媒だけを表示する冷媒表示専用領域（40）が設けられていることを特徴とするものである。
【００１９】
上記第４の発明では、表示画面（31）がドットマトリクス方式であるので、表示画面（31）上に種々の情報を表示することができる。しかし、この発明では、表示画面（31）に冷媒回路（20）に使用されている冷媒だけを表示する冷媒表示専用領域（40）が設けられている。そのため、表示画面（31）上で他の種々の情報と競合することなく、冷媒回路（20）に使用されている冷媒を明確に表示することができる。
【００２０】
第５の発明は、上記第１〜第４の何れか１つの発明において、上記制御部（32）は、上記室外機（11）で使用可能な冷媒が１種類であり、上記室内機（12）で使用可能な冷媒が複数種類である場合、上記室外機（11）で使用可能な冷媒が上記室内機（12）で使用可能な冷媒の何れか１つと一致するとき、上記室外機（11）で使用可能な冷媒を上記冷媒回路（20）に使用されている冷媒とするように構成されていることを特徴とするものである。
【００２１】
上記第５の発明では、室外機（11）で使用可能な冷媒が１種類であり、室内機（12）で使用可能な冷媒が複数種類である場合、制御部（32）は、室外機（11）で使用可能な冷媒が室内機（12）で使用可能な冷媒の何れか１つと一致するとき、室外機（11）で使用可能な冷媒を冷媒回路（20）に使用されている冷媒とするように構成されている。そのため、冷媒回路（20）に異常が発生すると、制御部（32）は、室外機（11）及び室内機（12）から収集した冷媒情報、例えば、室外機（11）で使用可能な冷媒がＲ３２であり、室内機（12）で使用可能な冷媒がＲ３２及びＲ４１０Ａであるという冷媒情報に基づいて、冷媒回路（20）に使用されている冷媒をＲ３２と決定することになる。
【発明の効果】
【００２２】
本発明によれば、冷媒回路（20）に異常が発生した際に、冷媒回路（20）に使用されている冷媒をリモートコントローラ（30）の表示画面（31）に表示させる制御部（32）を備えているので、冷媒回路（20）に異常が発生した際に、冷媒回路（20）に使用されている冷媒をユーザーに確実に把握させることができる。
【図面の簡単な説明】
【００２３】
【図１】実施形態１に係る空気調和機の概略構成を示す冷媒回路図である。
【図２】実施形態１に係る空気調和機を構成するリモートコントローラの第１の表示状態を示す正面図である。
【図３】実施形態１に係るリモートコントローラの第２の表示状態を示す正面図である。
【図４】実施形態１に係るリモートコントローラの第３の表示状態を示す正面図である。
【図５】実施形態１に係るリモートコントローラを構成する制御部での冷媒の決定方法を示す表である。
【発明を実施するための形態】
【００２４】
以下、本発明の実施形態を図面に基づいて詳細に説明する。なお、本発明は、以下の各実施形態に限定されるものではない。
【００２５】
《発明の実施形態１》
図１〜図５は、本発明に係る空気調和機の実施形態１を示している。ここで、図１は、本実施形態の空気調和機（10）の概略構成を示す冷媒回路図である。
【００２６】
本実施形態の空気調和機（10）について、図１を参照しながら説明する。
【００２７】
＜空気調和機の構成＞
空気調和機（10）は、室外機（11）と、室外機（11）に液側連絡配管（13）及びガス側連絡配管（14）を介して接続された室内機（12）と、室内機（12）に電気的に接続され、室外機（11）及び室内機（12）に通信可能に設けられたリモートコントローラ（30）とを備えている。ここで、空気調和機（10）では、室外機（11）、室内機（12）、液側連絡配管（13）及びガス側連絡配管（14）により冷媒回路（20）が構成されている。
【００２８】
冷媒回路（20）には、圧縮機（21）、四方切換弁（22）、室外熱交換器（23）、膨張弁（24）及び室内熱交換器（25）が設けられている。ここで、圧縮機（21）、四方切換弁（22）、室外熱交換器（23）及び膨張弁（24）は、室外機（11）に収容されている。そして、室外機（11）には、室外熱交換器（23）へ室外空気を供給するための室外ファン（15）が設けられている。一方、室内熱交換器（25）は、室内機（12）に収容されている。そして、室内機（12）には、室内熱交換器（25）へ室内空気を供給するための室内ファン（16）が設けられている。
【００２９】
冷媒回路（20）は、冷媒が充填された閉回路である。ここで、冷媒回路（20）において、圧縮機（21）は、その吐出側が四方切換弁（22）の第１のポートに接続されていると共に、その吸入側が四方切換弁（22）の第２のポートに接続されている。また、冷媒回路（20）では、四方切換弁（22）の第３のポートから第４のポートへ向かって順に、室外熱交換器（23）、膨張弁（24）及び室内熱交換器（25）が配置されている。
【００３０】
圧縮機（21）は、スクロール型又はロータリ型の全密閉型圧縮機である。また、四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。ここで、膨張弁（24）は、いわゆる電子膨張弁である。
【００３１】
室外熱交換器（23）は、室外空気を冷媒と熱交換させる。一方、室内熱交換器（25）は、室内空気を冷媒と熱交換させる。
【００３２】
室外機（11）及び室内機（12）は、図示しないが、マイコン等の電子部品が取り付けられた制御基板をそれぞれ備えている。ここで、室外機（11）の制御基板に取り付けられたマイコン内のメモリは、室外機（11）で使用可能な冷媒を冷媒情報として記憶する。また、室内機（12）の制御基板に取り付けられたマイコン内のメモリは、室内機（12）で使用可能な冷媒を冷媒情報として記憶する。
【００３３】
＜空気調和機の冷房運転＞
空気調和機（10）は、冷房運転を行う。ここで、冷房運転中には、四方切換弁（22）が第１状態に設定される。また、冷房運転中には、室外ファン（15）及び室内ファン（16）が運転される。
【００３４】
冷媒回路（20）では、冷凍サイクルが行われる。具体的に、圧縮機（21）から吐出された冷媒は、四方切換弁（22）を通って室外熱交換器（23）へ流入し、室外空気へ放熱して凝縮する。室外熱交換器（23）から流出した冷媒は、膨張弁（24）を通過する際に膨張してから室内熱交換器（25）へ流入し、室内空気から吸熱して蒸発する。室内熱交換器（25）から流出した冷媒は、四方切換弁（22）を通過後に圧縮機（21）へ吸入されて圧縮される。室内機（12）は、室内熱交換器（25）において冷却された空気を室内へ供給する。
【００３５】
＜空気調和機の暖房運転＞
空気調和機（10）は、暖房運転を行う。ここで、暖房運転中には、四方切換弁（22）が第２状態に設定される。また、暖房運転中には、室外ファン（15）及び室内ファン（16）が運転される。
【００３６】
冷媒回路（20）では、冷凍サイクルが行われる。具体的に、圧縮機（21）から吐出された冷媒は、四方切換弁（22）を通って室内熱交換器（25）へ流入し、室内空気へ放熱して凝縮する。室内熱交換器（25）から流出した冷媒は、膨張弁（24）を通過する際に膨張してから室外熱交換器（23）へ流入し、室外空気から吸熱して蒸発する。室外熱交換器（23）から流出した冷媒は、四方切換弁（22）を通過後に圧縮機（21）へ吸入されて圧縮される。室内機（12）は、室内熱交換器（25）において加熱された空気を室内へ供給する。
【００３７】
−リモートコントローラ−
リモートコントローラ（30）について、図２〜図４を参照しながら説明する。ここで、図２は、リモートコントローラ（30）の基本画面（51）を示す正面図である。また、図３は、リモートコントローラ（30）のメニュー画面（52）を示す正面図である。また、図４は、リモートコントローラ（30）のサービス画面（53）を示す正面図である。
【００３８】
＜リモートコントローラの構成＞
リモートコントローラ（30）は、図２〜図４に示すように、平面視で略矩形状に形成され、表示画面（31）と、制御部（32）と、カーソル移動ボタン（34）と、確定ボタン（35）と、運転切換ボタン（36）と、運転／停止ボタン（37）と、風量調節ボタン（38）と、キャンセルボタン（39）とを備えている。
【００３９】
表示画面（31）は、空気調和機（10）の運転状態を表示するものであり、例えば、ドットマトリクス方式の液晶表示パネルにより構成されている。また、表示画面（31）には、図２〜図４に示すように、冷媒回路（20）に使用されている冷媒だけを表示する冷媒表示専用領域（40）が設けられている。また、表示画面（31）には、図２〜図４に示すように、基本画面（51）、メニュー画面（52）及びサービス画面（53）等が適宜表示される。
【００４０】
カーソル移動ボタン（34）は、メニュー画面（52）中の任意の項目を指示するカーソル（13）を移動させるときに操作するボタンである。また、カーソル移動ボタン（34）は、上下左右の各方向を示す４つのマークが表示されており、マークを押圧することにより、そのマークに対応した方向にカーソル（33）が移動するように構成されている。
【００４１】
確定ボタン（35）は、カーソル（33）が指示するメニューの項目を決定するときに操作するボタンである。また、確定ボタン（35）には、「メニュー／確定」と印字されており、確定ボタン（35）が押圧されるとメニュー画面（52）が表示され、メニュー画面（52）から項目を選択して再び確定ボタン（35）を押圧するとその項目が実行される。
【００４２】
運転切換ボタン（36）は、空気調和機（10）の運転モードを切り替えるときに操作するボタンである。
【００４３】
運転／停止ボタン（37）は、空気調和機（10）の運転を開始させ、又はその運転を停止させるときに操作するボタンであり、押圧する毎に開始と停止とを繰り返す。
【００４４】
風量調節ボタン（38）は、室内機（12）から吹出される空気量を調節するときに操作するボタンである。
【００４５】
キャンセルボタン（39）は、確定ボタン（35）等で設定した内容を無効にするときに操作するボタンである。
【００４６】
＜制御部の動作＞
制御部（32）は、異常発生時に、冷媒回路（20）に使用されている冷媒を表示画面（31）に表示するように構成されている。具体的に、制御部（32）は、空気調和機（10）の冷房運転や暖房運転を行っている間に、例えば、圧縮機（21）に過電流が流れる等の異常が発生すると、室外機（11）及び室内機（12）から冷媒情報を収集する。制御部（32）は、収集した冷媒情報に基づいて、冷媒回路（20）に使用されている冷媒を決定する。そして、制御部（32）は、冷媒回路（20）に使用されている冷媒と、室外機（11）及び室内機（12）の各機種名と、異常発生時の連絡先とを表示画面（31）のサービス画面（53）に表示させる。
【００４７】
制御部（32）の動作について、図５を参照しながら詳細に説明する。ここで、図５は、制御部（32）での冷媒の決定方法を示す表である。
【００４８】
図５の接続例１の場合、室外機（11）は、Ｒ４１０Ａだけを冷媒情報として記憶し、室内機（12）は、Ｒ４１０Ａだけを冷媒情報として記憶している。制御部（32）は、室外機（11）の冷媒情報（Ｒ４１０Ａ）と室内機（12）の冷媒情報（Ｒ４１０Ａ）とが一致するので、冷媒回路（20）に使用されている冷媒をＲ４１０Ａと決定する。冷媒回路（20）に使用されている冷媒がＲ４１０Ａである場合、制御部（32）は、表示画面（31）の冷媒表示専用領域（40）に冷媒の種類を表示させない。
【００４９】
ここで、Ｒ４１０Ａは、空気調和機用の冷媒として一般的に使用されている。そのため、空気調和機の修理を行う保守作業者は、Ｒ４１０Ａに対応する器材を携行しているのが通常である。したがって、冷媒回路（20）に使用されている冷媒がＲ４１０Ａである場合は、冷媒回路（20）の使用冷媒が予め保守作業者に伝わっていなくても、保守作業者は、すぐに修理作業に着手できる。そのため、冷媒回路（20）に使用されている冷媒がＲ４１０Ａである場合、本実施形態の制御部（32）は、冷媒表示専用領域（40）に冷媒の種類（この場合はＲ４１０Ａ）を表示させない。
【００５０】
図５の接続例２の場合、室外機（11）は、Ｒ４１０Ａだけを冷媒情報として記憶し、室内機（12）は、Ｒ４１０Ａ及びＲ３２を冷媒情報として記憶している。制御部（32）は、室内機（12）が複数の冷媒情報を記憶しているので、その記憶されている複数の冷媒情報のうち室外機（11）の冷媒情報と一致する冷媒を室内機（12）で使用されている冷媒と判断する。この接続例２の場合、制御部（32）は、室外機（11）の冷媒情報（Ｒ４１０Ａ）と室内機（12）の冷媒情報の一方（Ｒ４１０Ａ）とが一致するので、冷媒回路（20）に使用されている冷媒をＲ４１０Ａと決定する。冷媒回路（20）に使用されている冷媒がＲ４１０Ａである場合、制御部（32）は、表示画面（31）の冷媒表示専用領域（40）に冷媒の種類（この場合はＲ４１０Ａ）を表示させない。
【００５１】
図５の接続例３の場合、室外機（11）は、Ｒ３２だけを冷媒情報として記憶し、室内機（12）は、Ｒ４１０Ａ及びＲ３２を冷媒情報として記憶している。制御部（32）は、室内機（12）が複数の冷媒情報を記憶しているので、その記憶されている複数の冷媒情報のうち室外機（11）の冷媒情報と一致する冷媒を室内機（12）で使用されている冷媒と判断する。この接続例３の場合、制御部（32）は、室外機（11）の冷媒情報（Ｒ３２）と室内機（12）の冷媒情報の一方（Ｒ３２）とが一致するので、冷媒回路（20）に使用されている冷媒をＲ３２と決定する。冷媒回路（20）に使用されている冷媒がＲ３２である場合、制御部（32）は、表示画面（31）の冷媒表示専用領域（40）に冷媒の種類（この場合はＲ３２）を表示させる。
【００５２】
ここで、Ｒ３２単体は、近年、空気調和機用の冷媒として使用され始めている。そのため、空気調和機の修理を行う保守作業者は、Ｒ３２に対応する器材を携行していない可能性がある。したがって、冷媒回路（20）に使用されている冷媒がＲ３２である場合は、冷媒回路（20）の使用冷媒が予め保守作業者に伝わっていないと、保守作業者は、すぐに修理作業に着手できないおそれがある。そのため、冷媒回路（20）に使用されている冷媒がＲ３２である場合、本実施形態の制御部（32）は、冷媒表示専用領域（40）に冷媒の種類（この場合はＲ３２）を表示させる。
【００５３】
図５の接続例４の場合、室外機（11）は、Ｒ４１０Ａだけを冷媒情報として記憶し、室内機（12）は、Ｒ３２だけを冷媒情報として記憶している。制御部（32）は、室外機（11）の冷媒情報（Ｒ４１０Ａ）と室内機（12）の冷媒情報（Ｒ３２）とが一致しないので、室外機（11）及び室内機（12）で使用可能な冷媒が一致しない旨（例えば、「冷媒不一致」の文字）を表示画面（31）に表示させる。なお、表示画面（31）には、「冷媒不一致」の文字の代わりに、エラーコード等を表示させてもよい。
【００５４】
図５の接続例５の場合、室外機（11）は、Ｒ３２だけを冷媒情報として記憶し、室内機（12）は、Ｒ４１０Ａだけを冷媒情報として記憶している。制御部（32）は、室外機（11）の冷媒情報（Ｒ３２）と室内機（12）の冷媒情報（Ｒ４１０Ａ）とが一致しないので、室外機（11）及び室内機（12）で使用可能な冷媒が一致しない旨（例えば、「冷媒不一致」の文字）を表示画面（31）に表示させる。なお、表示画面（31）には、「冷媒不一致」の文字の代わりに、エラーコード等を表示させてもよい。
【００５５】
上述したように、制御部（32）は、空気調和機（10）の運転中に異常が発生した場合に、冷媒回路（20）に使用されている冷媒を決定する。この場合は、異常が発生するまでに空気調和機（10）が正常に作動していたので、図５の接続例４及び５のような室外機（11）及び室内機（12）で使用可能な冷媒が一致しない状況は、起こりえない。
【００５６】
ところが、空気調和機（10）の据付時には、室外機（11）と室内機（12）との組み合わせを間違える場合があり、そのような場合には、室外機（11）及び室内機（12）で使用可能な冷媒が一致しない状況が起こりうる。そこで、本実施形態の制御部（32）は、空気調和機（10）の運転中に異常が発生した場合だけでなく、空気調和機（10）の据付時にも、室外機（11）及び室内機（12）の冷媒情報を対比して両者が一致するか否かを判断する動作を行う。
【００５７】
空気調和機（10）の据付時において、制御部（32）は、空気調和機（10）の異常発生時と同様な動作を行って冷媒回路（20）に使用可能な冷媒を決定し、決定した冷媒を表示画面（31）に表示させる。これにより、冷媒回路（20）に適切な冷媒を充填することができる。また、制御部（32）は、室外機（11）及び室内機（12）の冷媒情報が一致しない場合、その旨を表示画面（31）に表示させる。これにより、室外機（11）と室内機（12）との組み合わせを間違えることなく、トラブルを未然に防止することができる。
【００５８】
―実施形態の効果―
以上説明したように、本実施形態の空気調和機（10）によれば、冷媒回路（20）に異常が発生した際に、制御部（32）は、室外機（11）及び室内機（12）からそれぞれに記憶された冷媒情報を収集し、その冷媒情報に基づいて冷媒回路（20）に使用されている冷媒を決めてリモートコントローラ（30）の表示画面（31）に表示させるように構成されている。そのため、サービスセンター等にユーザーが連絡する際には、室外機及び室内機に設けられた表示手段（表示ラベルや表示ランプ等）を確認することなく、リモートコントローラ（30）の表示画面（31）に表示された冷媒の種類を見るだけで、ユーザーは、冷媒回路（20）に使用されている冷媒を把握することができる。
【００５９】
ここで、従来の空気調和機のリモートコントローラでは、冷媒回路に使用されている冷媒を表示させるまでに、例えば、表示画面上でカーソルを移動させることにより、階層構造のメニューにおける項目を適宜選択する操作が必要である。これに対し、本実施形態の空気調和機（10）によれば、ユーザーは、リモートコントローラ（30）での操作を行うことなく、冷媒回路（20）に使用されている冷媒を把握することができる。
【００６０】
したがって、冷媒回路（20）に異常が発生した際に、冷媒回路（20）に使用されている冷媒をユーザーに確実に把握させることができる。そして、これにより、空気調和機（10）の修理を行う保守作業者は、冷媒回路（20）に使用されている冷媒に対応する器材等を事前に準備することができ、修理作業の効率を向上させることができる。
【００６１】
また、本実施形態の空気調和機（10）によれば、制御部（32）は、冷媒回路（20）に異常が発生した際に、冷媒回路（20）に使用されている冷媒と、室外機（11）及び室内機（12）の各機種名と、異常発生時の連絡先とをリモートコントローラ（30）の表示画面（31）に表示するように構成されている。そのため、サービスセンター等にユーザーが連絡する際には、リモートコントローラ（30）の表示画面（31）に表示された情報を見るだけで、ユーザーは、冷媒回路（20）に使用されている冷媒の種類と、室外機（11）及び室内機（12）の各機種名と、異常発生時の連絡先とを同時に把握することができる。
【００６２】
また、本実施形態の空気調和機（10）によれば、リモートコントローラ（30）の表示画面（31）に表示可能な冷媒には、少なくともＲ３２が含まれているので、ユーザーは、冷媒回路（20）に使用されている冷媒がＲ４１０Ａ（従前より一般的に使用されてきた冷媒）でなくＲ３２単体（近年、使用され始めた冷媒）であることを把握することができる。そして、これにより、空気調和機（10）の修理を行う保守作業者は、Ｒ３２に対応する器材等を事前に準備することができ、修理作業の効率を向上させることができる。
【００６３】
また、本実施形態の空気調和機（10）によれば、表示画面（31）がドットマトリクス方式であるので、表示画面（31）上に種々の情報を表示することができる。しかし、本実施形態の空気調和機（10）では、表示画面（31）に冷媒回路（20）に使用されている冷媒だけを表示する冷媒表示専用領域（40）が設けられている。そのため、表示画面（31）上で他の種々の情報と競合することなく、冷媒回路（20）に使用されている冷媒を明確に表示することができる。
【００６４】
《その他の実施形態》
上記実施形態１では、１台の室外機（11）と、１台の室内機（12）とを備えた空気調和機（10）を例示したが、本発明は、１台の室外機と、複数台の室内機とを備えた空気調和機にも適用することができる。この場合、室外機で使用可能な冷媒と、各室内機で使用可能な冷媒のうち共通する冷媒との間で一致する冷媒を冷媒回路に使用されている冷媒とすればよい。
【００６５】
また、上記実施形態１では、リモートコントローラ（30）の表示画面（31）の冷媒表示専用領域（40）にＲ３２を表示する空気調和機（10）を例示したが、リモートコントローラ（30）の表示画面（31）の冷媒表示専用領域（40）には、例えば、Ｒ３２だけでなくＲ４１０Ａをも表示してもよい。この場合、図３の接続例１及び２では、「Ｒ４１０Ａ」が表示画面（31）の冷媒表示専用領域（40）に表示される。
【００６６】
また、上記実施形態１では、冷媒回路（20）に異常が発生した際に、リモートコントローラ（30）での操作を行うことなく、リモートコントローラ（30）の表示画面（31）に冷媒回路（20）に使用されている冷媒を表示させる空気調和機（10）を例示したが、リモートコントローラで１回の入力操作を行うことにより、冷媒を表示させてもよい。
【００６７】
なお、上記各実施形態は、本質的に好ましい例示であって、本発明、その適用物又はその用途の範囲を制限することを意図するものではない。
【産業上の利用可能性】
【００６８】
以上説明したように、本発明は、冷媒回路に使用されている冷媒をユーザーに確実に把握させることができるので、空気調和機について有用である。
【符号の説明】
【００６９】
１０    空気調和機
１１    室外機
１２    室内機
２０    冷媒回路
３０    リモートコントローラ
３１    表示画面
３２    制御部
４０    冷媒表示専用領域
【図１】
2015064182.tif 000003
【図２】
2015064182.tif 000004
【図３】
2015064182.tif 000005
【図４】
2015064182.tif 000006
【図５】
2015064182.tif 000007
【手続補正書】
【提出日】平成27年1月20日(2015.1.20)
【手続補正１】
【補正対象書類名】明細書
【補正対象項目名】全文
【補正方法】変更
【補正の内容】
【発明の詳細な説明】
【技術分野】
【０００１】
本発明は、室外機及び室内機を備えて冷凍サイクルを行う空気調和機に関するものである。
【背景技術】
【０００２】
近年、冷媒回路を備えた空気調和機では、冷媒回路を循環するＨＦＣ（ハイドロフルオロカーボン）系の冷媒として、従前より使用されてきたＲ４１０Ａの代わりに、地球温暖化係数のより小さいＲ３２単体が使用され始めている。そのため、空気調和機の市場では、Ｒ４１０Ａを使用する空気調和機と、Ｒ３２単体を使用する空気調和機とが混在している。
【０００３】
例えば、特許文献１には、室内機及び室外機において使用できる冷媒の種類をそれぞれ記憶している室内メモリ及び室外メモリを備えた空気調和機が開示されている。そして、これによれば、表示ラベルがなくても使用冷媒を容易且つ確実に確認することができ、室内機と室外機との間の使用冷媒の不一致、又は残留冷媒と注入冷媒との不一致を防止することができる、と記載されている。
【先行技術文献】
【特許文献】
【０００４】
【特許文献１】特開平１０−３８３５４号公報
【発明の概要】
【発明が解決しようとする課題】
【０００５】
上述したように、空気調和機の市場では、Ｒ４１０Ａを使用する空気調和機と、Ｒ３２単体を使用する空気調和機とが混在しているので、空気調和機の修理を行う保守作業者は、Ｒ４１０Ａ及びＲ３２の両方の冷媒に対応する必要がある。
【０００６】
しかしながら、修理を行う現場に保守作業者が着いてから、使用冷媒が判明するのでは、修理作業の効率が低下してしまう。そのため、空気調和機の冷媒回路に異常が発生して、サービスセンター等にユーザーが連絡する際に、異常が発生した空気調和機に使用されている冷媒をユーザーから知らせてもらうのが望ましい。
【０００７】
ここで、特許文献１に開示された空気調和機では、リモコンの液晶表示部に使用冷媒を表示させることができるものの、空気調和機の据付時における使用冷媒の初期確認を主な目的としているので、修理作業が必要になった際には、リモコンの液晶表示部に使用冷媒を表示させるまでに所定の操作が必要になり、改善の余地がある。
【０００８】
本発明は、かかる点に鑑みてなされたものであり、その目的とするところは、冷媒回路に異常が発生した際に、冷媒回路に使用されている冷媒をユーザーに確実に把握させることにある。
【課題を解決するための手段】
【０００９】
上記目的を達成するために、本発明は、冷媒回路（20）に異常が発生した際に、リモートコントローラ（30）での操作を行うことなく、冷媒回路（20）に使用されている冷媒をリモートコントローラ（30）の表示画面（31）に表示させる制御部（32）を備えるようにしたものである。
【００１０】
具体的に第１の発明は、室外機（11）及び室内機（12）が設けられた冷媒回路（20）と、上記室外機（11）及び室内機（12）に通信可能に設けられ、表示画面（31）を有するリモートコントローラ（30）とを備えた空気調和機であって、上記室外機（11）及び室内機（12）には、使用可能な冷媒を示す冷媒情報がそれぞれ記憶され、上記冷媒回路（20）に異常が発生した際に、上記リモートコントローラ（30）での操作を行うことなく、上記室外機（11）及び室内機（12）から上記冷媒情報を収集し、収集した該冷媒情報に基づいて上記冷媒回路（20）に使用されている冷媒を決めて上記表示画面（31）に表示させるように構成された制御部（32）を備えていることを特徴とするものである。
【００１１】
上記第１の発明では、冷媒回路（20）に異常が発生した際に、制御部（32）は、リモートコントローラ（30）での操作を行うことなく、室外機（11）及び室内機（12）からそれぞれに記憶された冷媒情報を収集し、その冷媒情報に基づいて冷媒回路（20）に使用されている冷媒を決めてリモートコントローラ（30）の表示画面（31）に表示させるように構成されている。そのため、サービスセンター等にユーザーが連絡する際には、リモートコントローラ（30）の表示画面（31）に表示された冷媒の種類を見るだけで、ユーザーは、冷媒回路（20）に使用されている冷媒を把握することができる。
【００１２】
ここで、従来の空気調和機のリモートコントローラでは、冷媒回路に使用されている冷媒を表示させるまでに、例えば、表示画面上でカーソルを移動させることにより、階層構造のメニューにおける項目を適宜選択する操作が必要である。これに対し、上記第１の発明では、ユーザーは、リモートコントローラ（30）での操作を行うことなく、冷媒回路（20）に使用されている冷媒を把握することができる。
【００１３】
したがって、冷媒回路（20）に異常が発生した際に、冷媒回路（20）に使用されている冷媒をユーザーに確実に把握させることができる。そして、これにより、空気調和機（10）の修理を行う保守作業者は、冷媒回路（20）に使用されている冷媒に対応する器材等を事前に準備することができ、修理作業の効率を向上させることができる。
【００１４】
第２の発明は、上記第１の発明において、上記制御部（32）は、上記室外機（11）及び室内機（12）の各機種名と、異常発生時の連絡先とを、上記冷媒回路（20）に使用されている冷媒と共に上記表示画面（31）に表示するように構成されていることを特徴とするものである。
【００１５】
上記第２の発明では、制御部（32）は、冷媒回路（20）に異常が発生した際に、冷媒回路（20）に使用されている冷媒と、室外機（11）及び室内機（12）の各機種名と、異常発生時の連絡先とをリモートコントローラ（30）の表示画面（31）に表示するように構成されている。そのため、サービスセンター等にユーザーが連絡する際には、リモートコントローラ（30）の表示画面（31）に表示された情報を見るだけで、ユーザーは、冷媒回路（20）に使用されている冷媒の種類と、室外機（11）及び室内機（12）の各機種名と、異常発生時の連絡先とを同時に把握することができる。
【００１６】
第３の発明は、上記第１又は第２の発明において、上記表示画面（31）に表示可能な冷媒には、少なくともＲ３２が含まれていることを特徴とするものである。
【００１７】
上記第３の発明では、表示画面（31）に表示可能な冷媒には、少なくともＲ３２が含まれているので、ユーザーは、例えば、冷媒回路（20）に使用されている冷媒がＲ４１０Ａ（従前より一般的に使用されてきた冷媒）でなくＲ３２単体（近年、使用され始めた冷媒）であることを把握することができる。そして、これにより、空気調和機（10）の修理を行う保守作業者は、Ｒ３２に対応する器材等を事前に準備することができ、修理作業の効率を向上させることができる。
【００１８】
第４の発明は、上記第１〜第３の何れか１つの発明において、上記表示画面（31）は、ドットマトリクス方式であり、上記表示画面（31）には、上記冷媒回路（20）に使用されている冷媒だけを表示する冷媒表示専用領域（40）が設けられていることを特徴とするものである。
【００１９】
上記第４の発明では、表示画面（31）がドットマトリクス方式であるので、表示画面（31）上に種々の情報を表示することができる。しかし、この発明では、表示画面（31）に冷媒回路（20）に使用されている冷媒だけを表示する冷媒表示専用領域（40）が設けられている。そのため、表示画面（31）上で他の種々の情報と競合することなく、冷媒回路（20）に使用されている冷媒を明確に表示することができる。
【００２０】
第５の発明は、上記第１〜第４の何れか１つの発明において、上記制御部（32）は、上記室外機（11）で使用可能な冷媒が１種類であり、上記室内機（12）で使用可能な冷媒が複数種類である場合、上記室外機（11）で使用可能な冷媒が上記室内機（12）で使用可能な冷媒の何れか１つと一致するとき、上記室外機（11）で使用可能な冷媒を上記冷媒回路（20）に使用されている冷媒とするように構成されていることを特徴とするものである。
【００２１】
上記第５の発明では、室外機（11）で使用可能な冷媒が１種類であり、室内機（12）で使用可能な冷媒が複数種類である場合、制御部（32）は、室外機（11）で使用可能な冷媒が室内機（12）で使用可能な冷媒の何れか１つと一致するとき、室外機（11）で使用可能な冷媒を冷媒回路（20）に使用されている冷媒とするように構成されている。そのため、冷媒回路（20）に異常が発生すると、制御部（32）は、室外機（11）及び室内機（12）から収集した冷媒情報、例えば、室外機（11）で使用可能な冷媒がＲ３２であり、室内機（12）で使用可能な冷媒がＲ３２及びＲ４１０Ａであるという冷媒情報に基づいて、冷媒回路（20）に使用されている冷媒をＲ３２と決定することになる。
【発明の効果】
【００２２】
本発明によれば、冷媒回路（20）に異常が発生した際に、リモートコントローラ（30）での操作を行うことなく、冷媒回路（20）に使用されている冷媒をリモートコントローラ（30）の表示画面（31）に表示させる制御部（32）を備えているので、冷媒回路（20）に異常が発生した際に、冷媒回路（20）に使用されている冷媒をユーザーに確実に把握させることができる。
【図面の簡単な説明】
【００２３】
【図１】実施形態１に係る空気調和機の概略構成を示す冷媒回路図である。
【図２】実施形態１に係る空気調和機を構成するリモートコントローラの第１の表示状態を示す正面図である。
【図３】実施形態１に係るリモートコントローラの第２の表示状態を示す正面図である。
【図４】実施形態１に係るリモートコントローラの第３の表示状態を示す正面図である。
【図５】実施形態１に係るリモートコントローラを構成する制御部での冷媒の決定方法を示す表である。
【発明を実施するための形態】
【００２４】
以下、本発明の実施形態を図面に基づいて詳細に説明する。なお、本発明は、以下の各実施形態に限定されるものではない。
【００２５】
《発明の実施形態１》
図１〜図５は、本発明に係る空気調和機の実施形態１を示している。ここで、図１は、本実施形態の空気調和機（10）の概略構成を示す冷媒回路図である。
【００２６】
本実施形態の空気調和機（10）について、図１を参照しながら説明する。
【００２７】
＜空気調和機の構成＞
空気調和機（10）は、室外機（11）と、室外機（11）に液側連絡配管（13）及びガス側連絡配管（14）を介して接続された室内機（12）と、室内機（12）に電気的に接続され、室外機（11）及び室内機（12）に通信可能に設けられたリモートコントローラ（30）とを備えている。ここで、空気調和機（10）では、室外機（11）、室内機（12）、液側連絡配管（13）及びガス側連絡配管（14）により冷媒回路（20）が構成されている。
【００２８】
冷媒回路（20）には、圧縮機（21）、四方切換弁（22）、室外熱交換器（23）、膨張弁（24）及び室内熱交換器（25）が設けられている。ここで、圧縮機（21）、四方切換弁（22）、室外熱交換器（23）及び膨張弁（24）は、室外機（11）に収容されている。そして、室外機（11）には、室外熱交換器（23）へ室外空気を供給するための室外ファン（15）が設けられている。一方、室内熱交換器（25）は、室内機（12）に収容されている。そして、室内機（12）には、室内熱交換器（25）へ室内空気を供給するための室内ファン（16）が設けられている。
【００２９】
冷媒回路（20）は、冷媒が充填された閉回路である。ここで、冷媒回路（20）において、圧縮機（21）は、その吐出側が四方切換弁（22）の第１のポートに接続されていると共に、その吸入側が四方切換弁（22）の第２のポートに接続されている。また、冷媒回路（20）では、四方切換弁（22）の第３のポートから第４のポートへ向かって順に、室外熱交換器（23）、膨張弁（24）及び室内熱交換器（25）が配置されている。
【００３０】
圧縮機（21）は、スクロール型又はロータリ型の全密閉型圧縮機である。また、四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。ここで、膨張弁（24）は、いわゆる電子膨張弁である。
【００３１】
室外熱交換器（23）は、室外空気を冷媒と熱交換させる。一方、室内熱交換器（25）は、室内空気を冷媒と熱交換させる。
【００３２】
室外機（11）及び室内機（12）は、図示しないが、マイコン等の電子部品が取り付けられた制御基板をそれぞれ備えている。ここで、室外機（11）の制御基板に取り付けられたマイコン内のメモリは、室外機（11）で使用可能な冷媒を冷媒情報として記憶する。また、室内機（12）の制御基板に取り付けられたマイコン内のメモリは、室内機（12）で使用可能な冷媒を冷媒情報として記憶する。
【００３３】
＜空気調和機の冷房運転＞
空気調和機（10）は、冷房運転を行う。ここで、冷房運転中には、四方切換弁（22）が第１状態に設定される。また、冷房運転中には、室外ファン（15）及び室内ファン（16）が運転される。
【００３４】
冷媒回路（20）では、冷凍サイクルが行われる。具体的に、圧縮機（21）から吐出された冷媒は、四方切換弁（22）を通って室外熱交換器（23）へ流入し、室外空気へ放熱して凝縮する。室外熱交換器（23）から流出した冷媒は、膨張弁（24）を通過する際に膨張してから室内熱交換器（25）へ流入し、室内空気から吸熱して蒸発する。室内熱交換器（25）から流出した冷媒は、四方切換弁（22）を通過後に圧縮機（21）へ吸入されて圧縮される。室内機（12）は、室内熱交換器（25）において冷却された空気を室内へ供給する。
【００３５】
＜空気調和機の暖房運転＞
空気調和機（10）は、暖房運転を行う。ここで、暖房運転中には、四方切換弁（22）が第２状態に設定される。また、暖房運転中には、室外ファン（15）及び室内ファン（16）が運転される。
【００３６】
冷媒回路（20）では、冷凍サイクルが行われる。具体的に、圧縮機（21）から吐出された冷媒は、四方切換弁（22）を通って室内熱交換器（25）へ流入し、室内空気へ放熱して凝縮する。室内熱交換器（25）から流出した冷媒は、膨張弁（24）を通過する際に膨張してから室外熱交換器（23）へ流入し、室外空気から吸熱して蒸発する。室外熱交換器（23）から流出した冷媒は、四方切換弁（22）を通過後に圧縮機（21）へ吸入されて圧縮される。室内機（12）は、室内熱交換器（25）において加熱された空気を室内へ供給する。
【００３７】
−リモートコントローラ−
リモートコントローラ（30）について、図２〜図４を参照しながら説明する。ここで、図２は、リモートコントローラ（30）の基本画面（51）を示す正面図である。また、図３は、リモートコントローラ（30）のメニュー画面（52）を示す正面図である。また、図４は、リモートコントローラ（30）のサービス画面（53）を示す正面図である。
【００３８】
＜リモートコントローラの構成＞
リモートコントローラ（30）は、図２〜図４に示すように、平面視で略矩形状に形成され、表示画面（31）と、制御部（32）と、カーソル移動ボタン（34）と、確定ボタン（35）と、運転切換ボタン（36）と、運転／停止ボタン（37）と、風量調節ボタン（38）と、キャンセルボタン（39）とを備えている。
【００３９】
表示画面（31）は、空気調和機（10）の運転状態を表示するものであり、例えば、ドットマトリクス方式の液晶表示パネルにより構成されている。また、表示画面（31）には、図２〜図４に示すように、冷媒回路（20）に使用されている冷媒だけを表示する冷媒表示専用領域（40）が設けられている。また、表示画面（31）には、図２〜図４に示すように、基本画面（51）、メニュー画面（52）及びサービス画面（53）等が適宜表示される。
【００４０】
カーソル移動ボタン（34）は、メニュー画面（52）中の任意の項目を指示するカーソル（33）を移動させるときに操作するボタンである。また、カーソル移動ボタン（34）は、上下左右の各方向を示す４つのマークが表示されており、マークを押圧することにより、そのマークに対応した方向にカーソル（33）が移動するように構成されている。
【００４１】
確定ボタン（35）は、カーソル（33）が指示するメニューの項目を決定するときに操作するボタンである。また、確定ボタン（35）には、「メニュー／確定」と印字されており、確定ボタン（35）が押圧されるとメニュー画面（52）が表示され、メニュー画面（52）から項目を選択して再び確定ボタン（35）を押圧するとその項目が実行される。
【００４２】
運転切換ボタン（36）は、空気調和機（10）の運転モードを切り替えるときに操作するボタンである。
【００４３】
運転／停止ボタン（37）は、空気調和機（10）の運転を開始させ、又はその運転を停止させるときに操作するボタンであり、押圧する毎に開始と停止とを繰り返す。
【００４４】
風量調節ボタン（38）は、室内機（12）から吹出される空気量を調節するときに操作するボタンである。
【００４５】
キャンセルボタン（39）は、確定ボタン（35）等で設定した内容を無効にするときに操作するボタンである。
【００４６】
＜制御部の動作＞
制御部（32）は、異常発生時に、冷媒回路（20）に使用されている冷媒を表示画面（31）に表示するように構成されている。具体的に、制御部（32）は、空気調和機（10）の冷房運転や暖房運転を行っている間に、例えば、圧縮機（21）に過電流が流れる等の異常が発生すると、室外機（11）及び室内機（12）から冷媒情報を収集する。制御部（32）は、収集した冷媒情報に基づいて、冷媒回路（20）に使用されている冷媒を決定する。そして、制御部（32）は、冷媒回路（20）に使用されている冷媒と、室外機（11）及び室内機（12）の各機種名と、異常発生時の連絡先とを表示画面（31）のサービス画面（53）に表示させる。
【００４７】
制御部（32）の動作について、図５を参照しながら詳細に説明する。ここで、図５は、制御部（32）での冷媒の決定方法を示す表である。
【００４８】
図５の接続例１の場合、室外機（11）は、Ｒ４１０Ａだけを冷媒情報として記憶し、室内機（12）は、Ｒ４１０Ａだけを冷媒情報として記憶している。制御部（32）は、室外機（11）の冷媒情報（Ｒ４１０Ａ）と室内機（12）の冷媒情報（Ｒ４１０Ａ）とが一致するので、冷媒回路（20）に使用されている冷媒をＲ４１０Ａと決定する。冷媒回路（20）に使用されている冷媒がＲ４１０Ａである場合、制御部（32）は、表示画面（31）の冷媒表示専用領域（40）に冷媒の種類を表示させない。
【００４９】
ここで、Ｒ４１０Ａは、空気調和機用の冷媒として一般的に使用されている。そのため、空気調和機の修理を行う保守作業者は、Ｒ４１０Ａに対応する器材を携行しているのが通常である。したがって、冷媒回路（20）に使用されている冷媒がＲ４１０Ａである場合は、冷媒回路（20）の使用冷媒が予め保守作業者に伝わっていなくても、保守作業者は、すぐに修理作業に着手できる。そのため、冷媒回路（20）に使用されている冷媒がＲ４１０Ａである場合、本実施形態の制御部（32）は、冷媒表示専用領域（40）に冷媒の種類（この場合はＲ４１０Ａ）を表示させない。
【００５０】
図５の接続例２の場合、室外機（11）は、Ｒ４１０Ａだけを冷媒情報として記憶し、室内機（12）は、Ｒ４１０Ａ及びＲ３２を冷媒情報として記憶している。制御部（32）は、室内機（12）が複数の冷媒情報を記憶しているので、その記憶されている複数の冷媒情報のうち室外機（11）の冷媒情報と一致する冷媒を室内機（12）で使用されている冷媒と判断する。この接続例２の場合、制御部（32）は、室外機（11）の冷媒情報（Ｒ４１０Ａ）と室内機（12）の冷媒情報の一方（Ｒ４１０Ａ）とが一致するので、冷媒回路（20）に使用されている冷媒をＲ４１０Ａと決定する。冷媒回路（20）に使用されている冷媒がＲ４１０Ａである場合、制御部（32）は、表示画面（31）の冷媒表示専用領域（40）に冷媒の種類（この場合はＲ４１０Ａ）を表示させない。
【００５１】
図５の接続例３の場合、室外機（11）は、Ｒ３２だけを冷媒情報として記憶し、室内機（12）は、Ｒ４１０Ａ及びＲ３２を冷媒情報として記憶している。制御部（32）は、室内機（12）が複数の冷媒情報を記憶しているので、その記憶されている複数の冷媒情報のうち室外機（11）の冷媒情報と一致する冷媒を室内機（12）で使用されている冷媒と判断する。この接続例３の場合、制御部（32）は、室外機（11）の冷媒情報（Ｒ３２）と室内機（12）の冷媒情報の一方（Ｒ３２）とが一致するので、冷媒回路（20）に使用されている冷媒をＲ３２と決定する。冷媒回路（20）に使用されている冷媒がＲ３２である場合、制御部（32）は、表示画面（31）の冷媒表示専用領域（40）に冷媒の種類（この場合はＲ３２）を表示させる。
【００５２】
ここで、Ｒ３２単体は、近年、空気調和機用の冷媒として使用され始めている。そのため、空気調和機の修理を行う保守作業者は、Ｒ３２に対応する器材を携行していない可能性がある。したがって、冷媒回路（20）に使用されている冷媒がＲ３２である場合は、冷媒回路（20）の使用冷媒が予め保守作業者に伝わっていないと、保守作業者は、すぐに修理作業に着手できないおそれがある。そのため、冷媒回路（20）に使用されている冷媒がＲ３２である場合、本実施形態の制御部（32）は、冷媒表示専用領域（40）に冷媒の種類（この場合はＲ３２）を表示させる。
【００５３】
図５の接続例４の場合、室外機（11）は、Ｒ４１０Ａだけを冷媒情報として記憶し、室内機（12）は、Ｒ３２だけを冷媒情報として記憶している。制御部（32）は、室外機（11）の冷媒情報（Ｒ４１０Ａ）と室内機（12）の冷媒情報（Ｒ３２）とが一致しないので、室外機（11）及び室内機（12）で使用可能な冷媒が一致しない旨（例えば、「冷媒不一致」の文字）を表示画面（31）に表示させる。なお、表示画面（31）には、「冷媒不一致」の文字の代わりに、エラーコード等を表示させてもよい。
【００５４】
図５の接続例５の場合、室外機（11）は、Ｒ３２だけを冷媒情報として記憶し、室内機（12）は、Ｒ４１０Ａだけを冷媒情報として記憶している。制御部（32）は、室外機（11）の冷媒情報（Ｒ３２）と室内機（12）の冷媒情報（Ｒ４１０Ａ）とが一致しないので、室外機（11）及び室内機（12）で使用可能な冷媒が一致しない旨（例えば、「冷媒不一致」の文字）を表示画面（31）に表示させる。なお、表示画面（31）には、「冷媒不一致」の文字の代わりに、エラーコード等を表示させてもよい。
【００５５】
上述したように、制御部（32）は、空気調和機（10）の運転中に異常が発生した場合に、冷媒回路（20）に使用されている冷媒を決定する。この場合は、異常が発生するまでに空気調和機（10）が正常に作動していたので、図５の接続例４及び５のような室外機（11）及び室内機（12）で使用可能な冷媒が一致しない状況は、起こりえない。
【００５６】
ところが、空気調和機（10）の据付時には、室外機（11）と室内機（12）との組み合わせを間違える場合があり、そのような場合には、室外機（11）及び室内機（12）で使用可能な冷媒が一致しない状況が起こりうる。そこで、本実施形態の制御部（32）は、空気調和機（10）の運転中に異常が発生した場合だけでなく、空気調和機（10）の据付時にも、室外機（11）及び室内機（12）の冷媒情報を対比して両者が一致するか否かを判断する動作を行う。
【００５７】
空気調和機（10）の据付時において、制御部（32）は、空気調和機（10）の異常発生時と同様な動作を行って冷媒回路（20）に使用可能な冷媒を決定し、決定した冷媒を表示画面（31）に表示させる。これにより、冷媒回路（20）に適切な冷媒を充填することができる。また、制御部（32）は、室外機（11）及び室内機（12）の冷媒情報が一致しない場合、その旨を表示画面（31）に表示させる。これにより、室外機（11）と室内機（12）との組み合わせを間違えることなく、トラブルを未然に防止することができる。
【００５８】
―実施形態の効果―
以上説明したように、本実施形態の空気調和機（10）によれば、冷媒回路（20）に異常が発生した際に、制御部（32）は、室外機（11）及び室内機（12）からそれぞれに記憶された冷媒情報を収集し、その冷媒情報に基づいて冷媒回路（20）に使用されている冷媒を決めてリモートコントローラ（30）の表示画面（31）に表示させるように構成されている。そのため、サービスセンター等にユーザーが連絡する際には、室外機及び室内機に設けられた表示手段（表示ラベルや表示ランプ等）を確認することなく、リモートコントローラ（30）の表示画面（31）に表示された冷媒の種類を見るだけで、ユーザーは、冷媒回路（20）に使用されている冷媒を把握することができる。
【００５９】
ここで、従来の空気調和機のリモートコントローラでは、冷媒回路に使用されている冷媒を表示させるまでに、例えば、表示画面上でカーソルを移動させることにより、階層構造のメニューにおける項目を適宜選択する操作が必要である。これに対し、本実施形態の空気調和機（10）によれば、ユーザーは、リモートコントローラ（30）での操作を行うことなく、冷媒回路（20）に使用されている冷媒を把握することができる。
【００６０】
したがって、冷媒回路（20）に異常が発生した際に、冷媒回路（20）に使用されている冷媒をユーザーに確実に把握させることができる。そして、これにより、空気調和機（10）の修理を行う保守作業者は、冷媒回路（20）に使用されている冷媒に対応する器材等を事前に準備することができ、修理作業の効率を向上させることができる。
【００６１】
また、本実施形態の空気調和機（10）によれば、制御部（32）は、冷媒回路（20）に異常が発生した際に、冷媒回路（20）に使用されている冷媒と、室外機（11）及び室内機（12）の各機種名と、異常発生時の連絡先とをリモートコントローラ（30）の表示画面（31）に表示するように構成されている。そのため、サービスセンター等にユーザーが連絡する際には、リモートコントローラ（30）の表示画面（31）に表示された情報を見るだけで、ユーザーは、冷媒回路（20）に使用されている冷媒の種類と、室外機（11）及び室内機（12）の各機種名と、異常発生時の連絡先とを同時に把握することができる。
【００６２】
また、本実施形態の空気調和機（10）によれば、リモートコントローラ（30）の表示画面（31）に表示可能な冷媒には、少なくともＲ３２が含まれているので、ユーザーは、冷媒回路（20）に使用されている冷媒がＲ４１０Ａ（従前より一般的に使用されてきた冷媒）でなくＲ３２単体（近年、使用され始めた冷媒）であることを把握することができる。そして、これにより、空気調和機（10）の修理を行う保守作業者は、Ｒ３２に対応する器材等を事前に準備することができ、修理作業の効率を向上させることができる。
【００６３】
また、本実施形態の空気調和機（10）によれば、表示画面（31）がドットマトリクス方式であるので、表示画面（31）上に種々の情報を表示することができる。しかし、本実施形態の空気調和機（10）では、表示画面（31）に冷媒回路（20）に使用されている冷媒だけを表示する冷媒表示専用領域（40）が設けられている。そのため、表示画面（31）上で他の種々の情報と競合することなく、冷媒回路（20）に使用されている冷媒を明確に表示することができる。
【００６４】
《その他の実施形態》
上記実施形態１では、１台の室外機（11）と、１台の室内機（12）とを備えた空気調和機（10）を例示したが、本発明は、１台の室外機と、複数台の室内機とを備えた空気調和機にも適用することができる。この場合、室外機で使用可能な冷媒と、各室内機で使用可能な冷媒のうち共通する冷媒との間で一致する冷媒を冷媒回路に使用されている冷媒とすればよい。
【００６５】
また、上記実施形態１では、リモートコントローラ（30）の表示画面（31）の冷媒表示専用領域（40）にＲ３２を表示する空気調和機（10）を例示したが、リモートコントローラ（30）の表示画面（31）の冷媒表示専用領域（40）には、例えば、Ｒ３２だけでなくＲ４１０Ａをも表示してもよい。この場合、図３の接続例１及び２では、「Ｒ４１０Ａ」が表示画面（31）の冷媒表示専用領域（40）に表示される。
【００６６】
また、上記実施形態１では、冷媒回路（20）に異常が発生した際に、リモートコントローラ（30）での操作を行うことなく、リモートコントローラ（30）の表示画面（31）に冷媒回路（20）に使用されている冷媒を表示させる空気調和機（10）を例示したが、リモートコントローラで１回の入力操作を行うことにより、冷媒を表示させてもよい。
【００６７】
なお、上記各実施形態は、本質的に好ましい例示であって、本発明、その適用物又はその用途の範囲を制限することを意図するものではない。
【産業上の利用可能性】
【００６８】
以上説明したように、本発明は、冷媒回路に使用されている冷媒をユーザーに確実に把握させることができるので、空気調和機について有用である。
【符号の説明】
【００６９】
１０    空気調和機
１１    室外機
１２    室内機
２０    冷媒回路
３０    リモートコントローラ
３１    表示画面
３２    制御部
４０    冷媒表示専用領域
【手続補正２】
【補正対象書類名】特許請求の範囲
【補正対象項目名】全文
【補正方法】変更
【補正の内容】
【特許請求の範囲】
【請求項１】
室外機（11）及び室内機（12）が設けられた冷媒回路（20）と、
上記室外機（11）及び室内機（12）に通信可能に設けられ、表示画面（31）を有するリモートコントローラ（30）とを備えた空気調和機であって、
上記室外機（11）及び室内機（12）には、使用可能な冷媒を示す冷媒情報がそれぞれ記憶され、
上記冷媒回路（20）に異常が発生した際に、上記リモートコントローラ（30）での操作を行うことなく、上記室外機（11）及び室内機（12）から上記冷媒情報を収集し、収集した該冷媒情報に基づいて上記冷媒回路（20）に使用されている冷媒を決めて上記表示画面（31）に表示させるように構成された制御部（32）を備えていることを特徴とする空気調和機。
【請求項２】
請求項１において、
上記制御部（32）は、上記室外機（11）及び室内機（12）の各機種名と、異常発生時の連絡先とを、上記冷媒回路（20）に使用されている冷媒と共に上記表示画面（31）に表示するように構成されていることを特徴とする空気調和機。
【請求項３】
請求項１又は２において、
上記表示画面（31）に表示可能な冷媒には、少なくともＲ３２が含まれていることを特徴とする空気調和機。
【請求項４】
請求項１〜３の何れか１つにおいて、
上記表示画面（31）は、ドットマトリクス方式であり、
上記表示画面（31）には、上記冷媒回路（20）に使用されている冷媒だけを表示する冷媒表示専用領域（40）が設けられていることを特徴とする空気調和機。
【請求項５】
請求項１〜４の何れか１つにおいて、
上記制御部（32）は、上記室外機（11）で使用可能な冷媒が１種類であり、上記室内機（12）で使用可能な冷媒が複数種類である場合、上記室外機（11）で使用可能な冷媒が上記室内機（12）で使用可能な冷媒の何れか１つと一致するとき、上記室外機（11）で使用可能な冷媒を上記冷媒回路（20）に使用されている冷媒とするように構成されていることを特徴とする空気調和機。